【手続補正書】
【提出日】平成25年7月29日(2013.7.29)
【手続補正１】
【補正対象書類名】特許請求の範囲
【補正対象項目名】全文
【補正方法】変更
【補正の内容】
【特許請求の範囲】
【請求項１】
コンピュータに電力を供給する電源装置であって、
電力供給部、コントローラおよびメモリを備え、
前記電力供給部は、前記コンピュータに電力を供給し、
前記コントローラは、
前記コンピュータで実行される仮想ホストでエミュレートされる仮想マシンを他のコンピュータに移行する指示を、後記仮想マシン管理手段に入力し、前記仮想マシンが移行されると、後記電源管理手段に前記コンピュータへの電力供給を遮断させる制御手段と、
前記制御手段の指示に従って、前記コンピュータで実行される仮想ホストでエミュレートされる仮想マシンまたは前記仮想ホストに、指示を送信する仮想マシン管理手段と、
前記制御手段の指示に従って、前記電力供給部を制御する電源管理手段
を備えることを特徴とする電源装置。
【請求項２】
前記制御手段は、前記電源管理手段に前記コンピュータへの電力供給を遮断させた後、当該電源装置をシャットダウンする
ことを特徴とする請求項１に記載の電源装置。
【請求項３】
前記コンピュータで実行される仮想ホストで複数の仮想マシンがエミュレートされる場合、
前記制御手段は、
前記コンピュータで実行される仮想ホストがエミュレートする前記複数の仮想マシンがそれぞれ移行されると、前記電源管理手段に前記コンピュータへの電力供給を遮断させる
ことを特徴とする請求項１または２に記載の電源装置。
【請求項４】
コンピュータに電力を供給する電源装置に用いられるプログラムであって、
電源装置は、電力供給部およびメモリを備え、
前記電力供給部は、前記コンピュータに電力を供給し、
前記コンピュータで実行される仮想ホストでエミュレートされる仮想マシンを他のコンピュータに移行する指示を、後記仮想マシン管理手段に入力し、前記仮想マシンが移行されると、後記電源管理手段に前記コンピュータへの電力供給を遮断させる制御手段と、
前記制御手段の指示に従って、前記コンピュータで実行される仮想ホストでエミュレートされる仮想マシンまたは前記仮想ホストに、指示を送信する仮想マシン管理手段と、
前記制御手段の指示に従って、前記電力供給部を制御する電源管理手段
として、前記電源装置が内蔵するコンピュータを機能させるためのプログラム。
【請求項５】
前記制御手段は、前記電源管理手段に前記コンピュータへの電力供給を遮断させた後、当該電源装置をシャットダウンする
ことを特徴とする請求項４に記載のプログラム。
【請求項６】
前記コンピュータで実行される仮想ホストで複数の仮想マシンがエミュレートされる場合、
前記制御手段は、
前記コンピュータで実行される仮想ホストがエミュレートする前記複数の仮想マシンがそれぞれ移行されると、前記電源管理手段に前記コンピュータへの電力供給を遮断させる
ことを特徴とする請求項４または５に記載のプログラム。
【請求項７】
第１のコンピュータに電力を供給する第１の電源装置と、第２のコンピュータに電力を供給する第２の電源装置と、を備える情報システムに用いられる制御方法であって、
前記第１の電源装置および前記第２の電源装置は、コンピュータで実行される仮想ホストでエミュレートされる仮想マシンまたは前記仮想ホストに、指示を送信可能で、
前記第２のコンピュータで実行される第２の仮想ホストでエミュレートされる仮想マシンが、前記第１のコンピュータで実行される第１の仮想ホストに移行する場合、
前記第１の電源装置または前記第２の電源装置が、前記第２の仮想ホストに、前記仮想マシンを前記第１の仮想ホストに移行する指示を送信するステップと、
前記仮想マシンが、前記第１の仮想ホストに移行するステップと、
前記仮想マシンが移行されると、前記第２の電源装置が、前記第２のコンピュータへの電力供給を遮断させるステップ
を備えることを特徴とする制御方法。
【請求項８】
前記第２の電源装置が、前記第２のコンピュータへの電力供給を遮断させると、当該第２の電源をシャットダウンするステップ
をさらに備えることを特徴とする請求項７に記載の制御方法。
【請求項９】
前記第２の仮想ホストが複数の仮想マシンをエミュレートする場合、
前記複数の仮想マシンがそれぞれ移行されると、前記第２の電源装置が、前記第２のコンピュータへの電力供給を遮断させる
ことを特徴とする請求項７に記載の制御方法。
【手続補正２】
【補正対象書類名】明細書
【補正対象項目名】００１０
【補正方法】変更
【補正の内容】
【００１０】
上記課題を解決するために、本発明の第１の特徴は、コンピュータに電力を供給する電源装置に関する。本発明の第１の特徴に係る電源装置は、電力供給部、コントローラおよびメモリを備え、電力供給部は、コンピュータに電力を供給する。コントローラは、コンピュータで実行される仮想ホストでエミュレートされる仮想マシンを他のコンピュータに移行する指示を、仮想マシン管理手段に入力し、仮想マシンが移行されると、電源管理手段にコンピュータへの電力供給を遮断させる制御手段と、制御手段の指示に従って、コンピュータで実行される仮想ホストでエミュレートされる仮想マシンまたは仮想ホストに、指示を送信する仮想マシン管理手段と、制御手段の指示に従って、電力供給部を制御する電源管理手段を備える。
【手続補正３】
【補正対象書類名】明細書
【補正対象項目名】００１１
【補正方法】変更
【補正の内容】
【００１１】
ここで、制御手段は、電源管理手段にコンピュータへの電力供給を遮断させた後、当該電源装置をシャットダウンしても良い。
【手続補正４】
【補正対象書類名】明細書
【補正対象項目名】００１２
【補正方法】変更
【補正の内容】
【００１２】
また、コンピュータで実行される仮想ホストで複数の仮想マシンがエミュレートされる場合、制御手段は、コンピュータで実行される仮想ホストがエミュレートする複数の仮想マシンがそれぞれ移行されると、電源管理手段にコンピュータへの電力供給を遮断させても良い。
【手続補正５】
【補正対象書類名】明細書
【補正対象項目名】００１３
【補正方法】削除
【補正の内容】
【手続補正６】
【補正対象書類名】明細書
【補正対象項目名】００１４
【補正方法】削除
【補正の内容】
【手続補正７】
【補正対象書類名】明細書
【補正対象項目名】００１５
【補正方法】削除
【補正の内容】
【手続補正８】
【補正対象書類名】明細書
【補正対象項目名】００１６
【補正方法】変更
【補正の内容】
【００１６】
本発明の第２の特徴は、コンピュータに電力を供給する電源装置に用いられるプログラムに関する。電源装置は、電力供給部およびメモリを備え、電力供給部は、コンピュータに電力を供給する。本発明の第２の特徴に係るプログラムは、コンピュータで実行される仮想ホストでエミュレートされる仮想マシンを他のコンピュータに移行する指示を、仮想マシン管理手段に入力し、仮想マシンが移行されると、電源管理手段にコンピュータへの電力供給を遮断させる制御手段と、制御手段の指示に従って、コンピュータで実行される仮想ホストでエミュレートされる仮想マシンまたは仮想ホストに、指示を送信する仮想マシン管理手段と、制御手段の指示に従って、電力供給部を制御する電源管理手段として、電源装置が内蔵するコンピュータを機能させる。
【手続補正９】
【補正対象書類名】明細書
【補正対象項目名】００１７
【補正方法】変更
【補正の内容】
【００１７】
ここで、制御手段は、電源管理手段にコンピュータへの電力供給を遮断させた後、当該電源装置をシャットダウンしても良い。
【手続補正１０】
【補正対象書類名】明細書
【補正対象項目名】００１８
【補正方法】変更
【補正の内容】
【００１８】
また、コンピュータで実行される仮想ホストで複数の仮想マシンがエミュレートされる場合、制御手段は、コンピュータで実行される仮想ホストがエミュレートする複数の仮想マシンがそれぞれ移行されると、電源管理手段にコンピュータへの電力供給を遮断させても良い。
【手続補正１１】
【補正対象書類名】明細書
【補正対象項目名】００１９
【補正方法】削除
【補正の内容】
【手続補正１２】
【補正対象書類名】明細書
【補正対象項目名】００２０
【補正方法】削除
【補正の内容】
【手続補正１３】
【補正対象書類名】明細書
【補正対象項目名】００２１
【補正方法】削除
【補正の内容】
【手続補正１４】
【補正対象書類名】明細書
【補正対象項目名】００２２
【補正方法】変更
【補正の内容】
【００２２】
本発明の第３の特徴は、第１のコンピュータに電力を供給する第１の電源装置と、第２のコンピュータに電力を供給する第２の電源装置と、を備える情報システムに用いられる制御方法に関する。ここで、第１の電源装置および第２の電源装置は、コンピュータで実行される仮想ホストでエミュレートされる仮想マシンまたは仮想ホストに、指示を送信可能である。本発明の第３の特徴に係る制御方法は、第２のコンピュータで実行される第２の仮想ホストにエミュレートされる仮想マシンが、第１のコンピュータで実行される第１の仮想ホストに移行する場合、第１の電源装置または第２の電源装置が、第２の仮想ホストに、仮想マシンを第１の仮想ホストに移行する指示を送信するステップと、仮想マシンが、第１の仮想ホストに移行するステップと、仮想マシンが移行されると、第２の電源装置が、第２のコンピュータへの電力供給を遮断させるステップを備える。
ここで、第２の電源装置が、第２のコンピュータへの電力供給を遮断させると、当該第２の電源をシャットダウンするステップをさらに備えても良い。
また、第２の仮想ホストが複数の仮想マシンをエミュレートする場合、複数の仮想マシンがそれぞれ移行されると、第２の電源装置が、第２のコンピュータへの電力供給を遮断させても良い。
【手続補正１５】
【補正対象書類名】明細書
【補正対象項目名】００６０
【補正方法】変更
【補正の内容】
【００６０】
移行指示データ２３ｂは、スケジュールで電源装置や仮想ホストのオンオフが発生することに伴う仮想マシンの移行について、仮想マシンの識別子と、その移行後の仮想マシンに割り当てるリソースの情報とを関連づける情報である。移行指示データ２３ｂは、図９に示すように、スケジュール識別子、仮想ホストおよびその仮想ホストで実装される仮想マシン識別子をキーとして、ＣＰＵ数、ＣＰＵクロック、メモリ容量、ネットワーク域などの、対応する仮想ホストにおいて割り当てられるリソースが対応づけられている。移行指示データ２３ｂには、移行指示を送信する際の通信設定に関するデータが含まれても良い。